(57)【要約】【課題】  設置スペースが限られた場所（設置面）であっても各ソーラパネルを設置する際のスペース効率（設置密度）を高めるとともに、システム全体の発電量を大きくしてシステム効率（発電効率）を高める。【解決手段】  太陽光Ｌ…を反射面２ｒ…により反射させてソーラパネル３…に入射させる反射部材２…を備える太陽光発電システムを構成するに際して、設置面Ｃ上に、少なくとも複数のソーラパネル３…を前後方向Ｆｆに所定間隔おきに配列させ、かつ各ソーラパネル３…を水平面Ｓｈに対して後上がりとなる所定角度Ｒｈで傾斜させて設置するとともに、任意のソーラパネル３の後端辺３ｕと設置面Ｃ間に、当該任意のソーラパネル３の後方に配した他のソーラパネル３に、反射させた太陽光Ｌｒを入射させる反射部材２を、鉛直面Ｓｖに対して所定角度Ｒｓで傾斜させて配する。【選択図】  図１
2010103334.tif 000002
【特許請求の範囲】
【請求項１】
太陽光を反射面により反射させてソーラパネルに入射させる反射部材を備える太陽光発電システムにおいて、設置面上に、少なくとも複数のソーラパネルを前後方向に所定間隔おきに配列させ、かつ各ソーラパネルを水平面に対して後上がりとなる所定角度で傾斜させて設置するとともに、任意のソーラパネルの後端辺と設置面間に、当該任意のソーラパネルの後方に配した他のソーラパネルに、反射させた太陽光を入射させる反射部材（第一反射部材）を、鉛直面に対して所定角度で傾斜させて配したことを特徴とする太陽光発電システム。
【請求項２】
最後部に位置する前記ソーラパネルの後方における起立した壁面に、反射させた太陽光を前記第一反射部材に入射させる一又は二以上の第二反射部材を付設することを特徴とする請求項１記載の太陽光発電システム。
【請求項３】
前記第二反射部材は、鉛直面に対して下端が手前側に位置する所定角度で傾斜させて設置するとともに、上端を回動支点とし、下端を旋回方向へ変位させることにより、前記鉛直面に対する所定角度を変更可能に構成することを特徴とする請求項２記載の太陽光発電システム。
【請求項４】
前記第二反射部材は、前記壁面に備える窓に付設し、当該窓のブラインドに兼用させることを特徴とする請求項２又は３記載の太陽光発電システム。
【請求項５】
前記前後方向に対して直角方向には複数のソーラパネルを並べて設置することを特徴とする請求項１記載の太陽光発電システム。
【請求項６】
前記第一反射部材には、少なくとも一面に前記反射面を有する反射シートを用いることを特徴とする請求項１又は２記載の太陽光発電システム。
【請求項７】
前記第二反射部材には、少なくとも一面に前記反射面を有する反射シートを用いることを特徴とする請求項２，３又は４記載の太陽光発電システム。
【発明の詳細な説明】
【技術分野】
【０００１】
本発明は、太陽光を反射面により反射させてソーラパネルに入射させる反射部材を備える太陽光発電システムに関する。
【背景技術】
【０００２】
従来、ソーラパネル（太陽電池）の受光面に対して、太陽光における直接光を入射させることに加え、別途の反射板を追加し、この反射板で反射させた反射光をソーラパネルの受光面に入射させることにより、発電電力をより増加させるようにした太陽光発電システムも特許文献１，２及び３により知られている。
【０００３】
特許文献１で開示される太陽光発電装置は、積雪によって発電が妨げられることなく、追尾装置を使わずに太陽光を取り込むことを目的とし、鉛直軸に対して所定の角度を有し、受光面が下向きに設置されている太陽電池アレイと、太陽光を反斜し、反射光を受光面に対して出射する反射鏡を設けて構成したものである。また、特許文献２で開示される太陽電池装置は、太陽位置を追尾する方式の集光装置の諸問題を解消するとともに、簡便でかつ太陽光入射量を増大させることを目的とし、反射面の少なくとも一部を可撓性とした光反射体と、この光反射体を介して照射される太陽光を受光して発電する太陽電池モジュールと、光反射体の可撓性の反射面に張力を印加して太陽電池モジュールへ照射される太陽光の反射角度を調整する手段を備えて構成したものである。さらに、特許文献３で開示される太陽光発電装置は、所定の出力を得るために必要な発電体の受光面の面積を低減するとともに、装置全体の設備コストの低減化を目的とし、発電体の受光面を、反射体の反射面に対して立てて配置し、反射体の反射面を、発電体の受光面に向かって所定の傾斜角で下向きに傾斜させ、かつ反射面の長さを傾斜角と発電体の受光面の高さとを変数として定めるように構成したものである。
【特許文献１】特開平８−１４８７１１号公報
【特許文献２】特開２００２−２６３６３号公報
【特許文献３】特開２００６−２６９５２３号公報
【発明の開示】
【発明が解決しようとする課題】
【０００４】
しかし、上述した従来の太陽光発電システムは、次のような問題点があった。
【０００５】
第一に、反射光の入射を優先するため、太陽電池（ソーラパネル）をいわば縦置きとし、この縦置きした太陽電池に対して反射板からの反射光を入射させるとともに、位置が変わる太陽からの太陽光を反射させるため、反射板のサイズ（面積）が太陽電池の受光面よりも大きくなる傾向がある。したがって、設置スペースが限られた場所、例えば、ビルディングの屋上等に設置する場合には、太陽電池の設置密度の低下が無視できず、スペース効率を高める観点から更なる改善の余地がある。
【０００６】
第二に、太陽電池を縦置きとし、反射光の入射を優先するため、太陽光における直接光を十分に取り込むことができない。したがって、全体の発電量を考慮した場合、必ずしもシステム効率（発電効率）が十分なレベルにあるとは言えず、システム効率を高める観点からも更なる改善の余地がある。
【０００７】
本発明は、このような背景技術に存在する課題を解決した太陽光発電システムの提供を目的とするものである。
【課題を解決するための手段】
【０００８】
本発明に係る太陽光発電システム１は、上述した課題を解決するため、太陽光Ｌを反射面２ｒ…により反射させてソーラパネル３…に入射させる反射部材２…を備える太陽光発電システムを構成するに際して、設置面Ｃ上に、少なくとも複数のソーラパネル３…を前後方向Ｆｆに所定間隔おきに配列させ、かつ各ソーラパネル３…を水平面Ｓｈに対して後上がりとなる所定角度Ｒｈで傾斜させて設置するとともに、任意のソーラパネル３…の後端辺３ｕ…と設置面Ｃ間に、当該任意のソーラパネル３…の後方に配した他のソーラパネル３…に、反射させた太陽光Ｌｒを入射させる反射部材（第一反射部材）２…を、鉛直面Ｓｖに対して所定角度Ｒｓで傾斜させて配したことを特徴とする。
【０００９】
この場合、発明の好適な態様により、最後部に位置するソーラパネル３の後方における起立した壁面Ｗに、反射させた太陽光Ｌｒを第一反射部材２…に入射させる一又は二以上の第二反射部材１１…を付設することができる。この際、第二反射部材１１…は、鉛直面Ｓｖに対して下端１１ｄ…が手前側に位置する所定角度Ｒａ…で傾斜させて設置するとともに、上端１１ｕ…を回動支点とし、下端１１ｄ…を旋回方向Ｆｒへ変位させることにより、鉛直面Ｓｖに対する所定角度Ｒａ…を変更可能に構成することができる。なお、第二反射部材１１…は、壁面Ｗに備える窓Ｐ…に付設し、当該窓Ｐ…のブラインドＢ…に兼用させることができる。一方、前後方向Ｆｆに対して直角方向Ｆｓには、複数のソーラパネル３…を並べて設置することができる。また、第一反射部材２…には少なくとも一面に反射面２ｒ…を有する反射シート２ｓ…を用いることができるとともに、第二反射部材１１…には少なくとも一面に反射面を有する反射シート１１ｓ…を用いることができる。
【発明の効果】
【００１０】
このような構成を有する本発明に係る太陽光発電システム１によれば、次のような顕著な効果を奏する。
【００１１】
（１）  設置面Ｃ上に、複数のソーラパネル３…を前後方向Ｆｆに所定間隔おきに配列させ、かつ各ソーラパネル３…を水平面Ｓｈに対して後上がりとなる所定角度Ｒｈで傾斜させて設置するとともに、任意のソーラパネル３の後端辺３ｕと設置面Ｃ間に反射部材２（第一反射部材）を配したため、各ソーラパネル３…を傾斜設置した際の背面部分を有効に利用できる。したがって、ビルディングの屋上等のように設置スペースが限られた場所（設置面Ｃ）であっても各ソーラパネル３…を設置する際のスペース効率（設置密度）を高めることができる。
【００１２】
（２）  基本的には太陽光Ｌにおける直接光を主として利用し、第一反射部材２…の反射光Ｌｒを補助として利用するため、直接光を十分に取り込むことができるとともに、この直接光に対して、追加的に取り込んだ反射光Ｌｒを加算できるため、太陽光発電システム全体の発電量を大きくすることができ、もって、システム効率（発電効率）を高めることができる。
【００１３】
（３）  好適な態様により、最後部に位置するソーラパネル３の後方における起立した壁面Ｗに、反射させた太陽光Ｌｒを第一反射部材２…に入射させる第二反射部材１１…を付設すれば、太陽の高度や位置が変わり、太陽光Ｌにおける直接光が減少する季節であっても、第二反射部材１１…により反射光Ｌｒを取り込むことができるため、季節により発電量が低下してしまう弊害を回避することができる。
【００１４】
（４）  好適な態様により、第二反射部材１１…を、鉛直面Ｓｖに対して下端１１ｄが手前側に位置する所定角度Ｒａ…で傾斜させて設置するとともに、上端１１ｕ…を回動支点とし、下端１１ｄ…を旋回方向Ｆｒへ変位させることにより、鉛直面Ｓｖに対する所定角度Ｒａ…を変更可能に構成すれば、第二反射部材１１の角度を任意に設定（調整）できるため、第二反射部材１１…による太陽光Ｌ（反射光Ｌｒ）の取り込みを季節に左右されることなく能率的（効率的）に行うことができる。
【００１５】
（５）  好適な態様により、第二反射部材１１…を、壁面Ｗに備える窓Ｐ…に付設し、当該窓Ｐ…のブラインドＢ…に兼用させれば、窓Ｐ…に付設する別途のブラインドが不要になるとともに、窓Ｐ…の外方に配するため、室内における開放感をより高めることができる。
【００１６】
（６）  好適な態様により、前後方向Ｆｆに対して直角方向Ｆｓには、複数のソーラパネル３…を並べて設置すれば、第一反射部材２…からの反射光Ｌｒを無駄にすることなく有効に取り込むことができる。
【００１７】
（７）  好適な態様により、第一反射部材２に少なくとも一面に反射面２ｒ…を有する反射シート２ｓを用い、及び／又は第二反射部材１１に少なくとも一面に反射面を有する反射シート１１ｓを用いれば、十分な反射率を確保できるとともに、実施する際の低コスト化及び施工容易化に寄与できる。
【発明を実施するための最良の形態】
【００１８】
次に、本発明に係る最良の実施形態を挙げ、図面に基づき詳細に説明する。
【００１９】
まず、本実施形態に係る太陽光発電システム１の構成について、図１〜図４及び図７を参照して説明する。
【００２０】
図１中、Ｃは設置面であり、地面やビルディングの屋上等の平坦な場所を選定する。そして、設置面Ｃ上には、複数のソーラパネル３…を前後方向Ｆｆに所定間隔おきに配列させる。また、ソーラパネル３…は、図７に示すように、前後方向Ｆｆに対して直角方向Ｆｓにも複数並べて設置する。例示の場合、ソーラパネル３…は、前後方向Ｆｆに対して、四列に配するとともに、直角方向Ｆｓには四つ並べて配しているが任意の数量により実施できる。また、例示の場合、図７に示すように、北方が後方となり、かつ南北方向に対する前後方向Ｆｆの角度Ｒｆは東１０〔゜〕である。
【００２１】
図２に、一つのソーラパネル３及びこのソーラパネル３を支持する設置フレームユニット２１の具体的な構成を示す。ソーラパネル３は、全体を矩形に形成し、多数の太陽光セル３ｃ…を集合させることにより上面に受光面を有する公知のソーラパネルを使用する。一方、設置フレームユニット２１は、ソーラパネル３の底面を支持する上フレーム部２１ｕと、この上フレーム部２１ｕの四隅に上端を固定した四本の縦フレーム２１ｐ…と、各縦フレーム２１ｐ…の下部間に架設した四本の補強横フレーム２１ｈ…と、補強横フレーム２１ｈと上フレーム部２１ｕ間に架設した補強縦フレーム２１ｖにより構成する。なお、このような設置フレームユニット２１は、例示に限らず、ソーラパネル３を支持することができる各種形態により実施可能であるとともに、フレーム材質も、金属素材，プラスチック素材，木質素材等、各種剛性素材を利用できる。
【００２２】
この場合、上フレーム部２１ｕは、図１に示すように、水平面Ｓｈ（設置面Ｃ）に対して後上がりとなる所定角度Ｒｈ（例示は、２０〔゜〕）で傾斜させるとともに、四本の縦フレーム２１ｐ…のうち、後側に配した二本の縦フレーム２１ｐ，２１ｐは、鉛直面Ｓｖに対して所定角度Ｒｓ（例示は、７〔゜〕）で傾斜させる。そして、上フレーム部２１ｕの上にソーラパネル３の底面を載せ、ボルトナット等の固定金具により固定する。これにより、上フレーム部２１ｕ上に支持されるソーラパネル３も水平面Ｓｈに対して後上がりとなる所定角度Ｒｈで傾斜することになる。また、ソーラパネル３の後端辺３ｕと設置面Ｃ間には、第一反射部材２を配する。第一反射部材２には少なくとも一面に反射面２ｒを有する反射シート２ｓを用いることができる。反射シート２ｓには、市販品を利用してもよいし、専用シートとして製造してもよい。市販品としては、農業用の光反射シート，熱反射シート及び断熱シート、或いは汎用アルミニウムシート等があるため、いずれのシートであっても、少なくとも一面（片面）に反射面２ｒを有するものであれば、反射シート２ｓとして利用可能である。
【００２３】
そして、反射シート２ｓは、図２に示すように、上フレーム部２１ｕの後端辺，後側に配した二本の縦フレーム２１ｐ，２１ｐ，後側の補強横フレーム２１ｈ及び補強縦フレーム２１ｖを利用して、これらの各フレーム２１ｐ…，２１ｈ，２１ｖ及びフレーム部２１ｕにより囲まれた空間Ａｒを覆うように付設する。この場合、予め短冊状に形成した反射シート２ｓを用意し、各フレーム２１ｐ…，２１ｈ，２１ｖ及びフレーム部２１ｕに、ボルトナット，ネジ或いは紐等の固定具２２…を利用して固定する。これにより、反射シート２ｓも鉛直面Ｓｖに対して所定角度Ｒｓで傾斜することになり、このソーラパネル３の後方に配した他のソーラパネル３に、反射させた太陽光Ｌｒを入射させることができる。このように、第一反射部材２に少なくとも一面に反射面２ｒを有する反射シート２ｓを用いれば、十分な反射率を確保できるとともに、実施する際の低コスト化及び施工容易化に寄与できる利点がある。なお、例示の場合、各ソーラパネル３…の前後方向Ｆｆの幅Ｘｐは、２．３〔ｍ〕、各ソーラパネル３…間の間隔Ｘｉは、２．５〔ｍ〕である。
【００２４】
他方、最後部に位置するソーラパネル３…の後方における起立した壁面Ｗに、反射させた太陽光Ｌｒを第一反射部材２…に入射させる一又は二以上の第二反射部材１１…を付設する。この場合、壁面Ｗは、既存の建物Ｅの外壁面を利用できるが、適切な壁面Ｗが無いときは専用の壁面Ｗを別途設けてもよい。この壁面Ｗは、必ずしも遮蔽された面であることを要せず、空間面であってもよい。したがって、専用の壁面Ｗを別途設ける場合、第二反射部材１１…を付設（支持）することができるように、複数のポストを起設して空間面を設けてもよい。例示の壁面Ｗは、建物Ｅの外壁面を利用したものであり、最後部に位置するソーラパネル３…と第二反射部材１１…間の距離Ｘｂは２．５〔ｍ〕である。また、第二反射部材１１…は、壁面Ｗに備える窓Ｐ…の外側に当該窓Ｐ…を覆うように付設することが望ましい。例示の場合、窓Ｐ…の上側にある庇部Ｐｍ…を利用している。第二反射部材１１…をこのように付設することにより、第二反射部材１１…を、壁面Ｗに備える窓Ｐ…のブラインドＢ…に兼用させることができる。したがって、窓Ｐ…に付設する別途のブラインドが不要になるとともに、窓Ｐ…の外方に配するため、室内における開放感をより高めることができる利点がある。もちろん、このような庇部Ｐｍが無い場合には、壁面Ｗ又は窓枠Ｐｆの上部などに直接付設してもよい。
【００２５】
図３に、壁面Ｗに付設した第二反射部材１１の具体的な構成を示す。第二反射部材１１を付設するに際しては、庇部Ｐｍの下面の左右両側に軸受部３１…をそれぞれ取付ける。一方、予め第二反射部材１１を用意する。第二反射部材１１には反射シート１１ｓを用いることができる。反射シート１１ｓには、上述した反射シート２ｓと同一のものを使用してもよいし、異ならせてもよい。反射シート１１ｓは、例えば、タープテントのように、上端辺を壁面Ｗ側に固定し、下端辺を設置面Ｃ側に固定するなどにより、反射シート１１ｓをそのまま使用してもよいが、例示するように、矩形の保持フレームユニット３２に反射シート１１ｓを取付けることが望ましい。
【００２６】
この場合、保持フレームユニット３２は、矩形の本体フレーム３２ｍと複数の補強フレーム３２ｓ…を組合わせて構成し、反射シート１１ｓは、保持フレームユニット３２における本体フレーム３２ｍの内側空間Ａｓを覆うように取付ける。この際、反射シート１１ｓは、本体フレーム３２ｍと複数の補強フレーム３２ｓ…に、ボルトナット，ネジ或いは紐等の固定具３３…を利用して固定する。このように、第二反射部材１１に少なくとも一面に反射面を有する反射シート１１ｓを用いれば、反射シート２ｓを用いる場合と同様に十分な反射率を確保できるとともに、実施する際の低コスト化及び施工容易化に寄与できる利点がある。一方、保持フレームユニット３２の上端左右には、例えば、ピン等を用いた軸部３４…を左右に突出させ、各軸部３４…を各軸受部３１…に挿入する。これにより、反射シート１１ｓは、図４に示すように、上端１１ｕを回動支点とし、下端１１ｄを旋回方向Ｆｒへ回動変位（旋回変位）させることができる。
【００２７】
また、壁面Ｗからは左右に配した二つの角度設定ステー部３５，３５を水平に突出させる。この角度設定ステー部３５，３５は、例示の場合、窓枠Ｐｆを利用して取付けている。即ち、窓枠Ｐｆの上下方向中間位置、望ましくは下寄りの位置にフレームを組合わて構成した角度設定ステー部３５，３５の一側を片持状に取付けて固定し、図３に示すように、保持フレームユニット３２の左右のフレーム３２ｓ，３２ｓに当接可能にする。そして、左右のフレーム３２ｓ，３２ｓにそれぞれ三つのネジ孔３７ａ…，３７ｂ…，３７ｃ…を所定間隔おきに設けるとともに、角度設定ステー部３５，３５にそれぞれ三つの挿通孔３８ａ…，３８ｂ…，３８ｃ…を所定間隔おきに設ける。これにより、固定ネジ３６，３６を、選択した挿通孔３８ａ…，３８ｂ…，３８ｃ…に挿入した後、選択したネジ孔３７ａ…，３７ｂ…，３７ｃ…に螺着すれば、図４に示すように、保持フレームユニット３２（反射シート１１ｓ）を、鉛直面Ｓｖに対して下端１１ｄが手前側に位置する所定角度Ｒａ…、即ち、鉛直面Ｓｖに対して所定角度Ｒａ，Ｒｂ，Ｒｃを選択し、傾斜させて設置できる。この場合、所定角度Ｒａ，Ｒｂ，Ｒｃは、それぞれ２５〔゜〕，１７〔゜〕，７〔゜〕になるように設定した。
【００２８】
次に、本実施形態に係る太陽光発電システム１の使用方法及び作用について、図１〜図１１を参照して説明する。
【００２９】
太陽光発電システム１の設置地点としては、日射量が比較的不利になる地点、具体的には、周囲が山に囲まれ、日の出が遅く、かつ日の入が早い地点を選定した。図５は、太陽光発電システム１の設置地点と比較的日射量の多い近隣平地の月別の日射量〔ｋＷｈ／平方メートル〕を示す。例示する太陽光発電システム１の設置地点における冬季期間の日射量は、近隣平地に対して２割程度低くなっている。
【００３０】
図６は夏季期間における日の出及び日の入の太陽光Ｌを横方向から見た作用説明図を示すとともに、図７は夏季期間における日の出及び日の入の太陽光Ｌを上方向から見た作用説明図を示し、図７中、実線で示す太陽の位置Ｘｍが日の出、仮想線で示す太陽の位置Ｘｅが日の入である。なお、夏至の高度角は７７〔゜〕である。夏季期間では、太陽光Ｌにおける直接光Ｌｄがソーラパネル３…の受光面に直接入射することに加え、図６及び図７に示すように、太陽光Ｌにおける直接光Ｌｄが第一反射部材２（反射シート２ｓ）に反射し、反射光Ｌｒとしてソーラパネル３…の受光面に入射する。特に、日の出と日の入の際の太陽光Ｌを第一反射部材２により有効に集めることができ、４月〜９月までの６ケ月間は、最大６０〔゜〕の反射光Ｌｒを集めることができる。したがって、夏季期間では、第一反射部材２…が有効に機能し、第二反射部材１１（反射シート１１ｓ）はほとんど機能しない。なお、日の出及び日の入の際は、図７に示すように、第一反射部材２に対して斜め上から太陽光Ｌが入射するが、前後方向Ｆｆに対して直角方向Ｆｓに、複数のソーラパネル３…を並べて設置するため、第一反射部材２からの反射光Ｌｒを他のソーラパネル３…の受光面に対して、はみ出ることなく有効に入射させることができる。
【００３１】
ところで、夏季期間では、図６及び図７の態様により反射光Ｌｒを有効に集めることができるが、冬季期間の場合、図６及び図７の態様によっては、反射光Ｌｒを有効に集めることができない。このため、冬季期間では、第二反射部材１１（反射シート１１ｓ）を追加することにより、反射光Ｌｒを有効に集めることができ、第二反射部材１１と第一反射部材２の組合わせが有効に機能する。
【００３２】
図８は冬季期間における日の出及び日の入の太陽光Ｌを横方向から見た作用説明図を示すとともに、図９は夏季期間における日の出及び日の入の太陽光Ｌを上方向から見た作用説明図を示し、図９中、実線で示す太陽の位置Ｘｍが日の出、仮想線で示す太陽の位置Ｘｅが日の入である。冬季期間では、太陽光Ｌにおける直接光Ｌｄがソーラパネル３…の受光面に直接入射することに加え、図８及び図９に示すように、太陽光Ｌにおける直接光Ｌｄが第二反射部材１１（反射シート１１ｓ）で反射し、反射光Ｌｒとして第一反射部材２（反射シート２ｓ）に入射するとともに、さらに、第一反射部材２で反射し、反射光Ｌｒとしてソーラパネル３…の受光面に入射する。このように、最後部に位置するソーラパネル３の後方における起立した壁面Ｗに、反射させた太陽光Ｌｒを第一反射部材２に入射させる第二反射部材１１を付設すれば、太陽の高度や位置が変わり、太陽光Ｌにおける直接光が減少する季節であっても、第二反射部材１１により反射光Ｌｒを取り込むことができるため、季節により発電量が低下してしまう弊害を回避することができる。
【００３３】
この場合、第二反射部材１１は、図４に示すように、上端１１ｕを回動支点とし、下端１１ｄを旋回方向Ｆｒへ変位させることができるとともに、鉛直面Ｓｖに対して所定角度Ｒａ，Ｒｂ，Ｒｃ、即ち、２５〔゜〕，１７〔゜〕，７〔゜〕に設定（変更）することができる。これら角度Ｒａ，Ｒｂ，Ｒｃの設定により、年間を通じて反射効率をより高めることができ、角度Ｒａ，Ｒｂ，Ｒｃの大きさは太陽の仰角（平均）を想定して設定した。具体的には、春分の日及び秋分の日における太陽の仰角を４５〔゜〕と想定して、角度Ｒｂを１７〔゜〕に設定するとともに、夏至における太陽の仰角を６０〔゜〕と想定して、角度Ｒａを２５〔゜〕に設定し、さらに、冬至における太陽の仰角を２５〔゜〕と想定して、角度Ｒｃを７〔゜〕に設定した。したがって、一年で四回変更することになる。これにより、夏季期間のみならず冬季期間における日の出と日の入の際の太陽光Ｌを、第二反射部材１１と第一反射部材２の組合わせにより有効に集めることができる。このように、第二反射部材１１を、鉛直面Ｓｖに対して下端１１ｄが手前側に位置する所定角度Ｒａ…で傾斜させて設置するとともに、上端１１ｕを回動支点とし、下端１１ｄを旋回方向Ｆｒへ変位させることにより、鉛直面Ｓｖに対する所定角度Ｒａ…を変更可能に構成すれば、第二反射部材１１の角度を任意に設定（調整）できるため、第二反射部材１１による太陽光Ｌ（反射光Ｌｒ）の取り込みを季節に左右されることなく能率的（効率的）に行うことができる。
【００３４】
図１０には、太陽光発電システム１の時刻〔時〕に対する発電量〔ｋＷｈ〕の関係を示し、実線が冬季期間における第一反射部材２及び第二反射部材１１を設置した場合のデータ、点線が冬季期間における第一反射部材２及び第二反射部材１１を設置しない場合の比較用データである。図１０から明らかなように、第一反射部材２及び第二反射部材１１を設置することにより、設置しない場合に比べ、概ね１５〔％〕前後、発電量を高めることができる。
【００３５】
また、図１１には、太陽光発電システム１の気温〔℃〕に対するシステム効率〔％〕の関係を示し、白丸が第一反射部材２及び第二反射部材１１を設置した場合のデータ、黒丸が第一反射部材２及び第二反射部材１１を設置しない場合の比較用データである。図１１中、仮想線Ｚｉで囲んだように、第一反射部材２及び第二反射部材１１を設置することにより、システム効率をより高めることができ、設置しない場合のシステム効率が概ね８０〜１２０〔％〕であるのに対して、設置した場合は概ね８５〜１４０〔％〕となり、その優位性が確認できた。
【００３６】
よって、このような本実施形態に係る太陽光発電システム１によれば、設置面Ｃ上に、複数のソーラパネル３…を前後方向Ｆｆに所定間隔おきに配列させ、かつ各ソーラパネル３…を水平面Ｓｈに対して後上がりとなる所定角度Ｒｈで傾斜させて設置するとともに、任意のソーラパネル３の後端辺３ｕと設置面Ｃ間に第一反射部材２を配したため、各ソーラパネル３…を傾斜設置した際の背面部分を有効に利用できる。したがって、ビルディングの屋上等のように設置スペースが限られた場所（設置面Ｃ）であっても各ソーラパネル３…を設置する際のスペース効率（設置密度）を高めることができる。また、基本的には太陽光Ｌにおける直接光を主として利用し、第一反射部材２の反射光Ｌｒを補助として利用するため、直接光を十分に取り込むことができるとともに、この直接光に対して、追加的に取り込んだ反射光Ｌｒを加算できるため、太陽光発電システム全体の発電量を大きくすることができ、もって、システム効率（発電効率）を高めることができる。
【００３７】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３８】
例えば、第一反射部材２に対して組み合わせる第二反射部材１１の設置形態は、必ずしも例示の形態に限定されるものではなく、設置場所等の設置環境に対応させて任意に実施可能である。一方、第一反射部材２に反射シート２ｓを用いた場合を示したが、必ずしも反射シート２ｓに限定されるものではなく、一部又は全部に反射板を用いる場合を排除するものではない。同様に、第二反射部材１１に反射シート１１ｓを用いた場合を示したが、必ずしも反射シート１１ｓに限定されるものではなく、一部又は全部に反射板を用いる場合を排除するものではない。さらに、第一反射部材２も第二反射部材１１と同様に季節等に対応させて角度を設定（変更）できるようにしてもよい。なお、本発明に係る太陽光発電システム１は、工場等の大規模設備或いは一般住宅等の小規模設備をはじめ、自家発電設備或いは電力販売設備など、様々な用途に利用することができる。
【図面の簡単な説明】
【００３９】
【図１】本発明の最良の実施形態に係る太陽光発電システムの全体構成図、
【図２】同太陽光発電システムにおける第一反射部材を付設したソーラパネルの後方から見た斜視図、
【図３】同太陽光発電システムにおける第二反射部材を付設した壁面の前方から見た斜視図、
【図４】同第二反射部材の機能を説明するための模式的側面図、
【図５】同太陽光発電システムの設置地点における月別の日射量を示すグラフ、
【図６】同太陽光発電システムを使用した際の夏季期間における日の出及び日の入の太陽光を横方向から見た作用説明図、
【図７】同太陽光発電システムを使用した際の夏季期間における日の出及び日の入の太陽光を上方向から見た作用説明図、
【図８】同太陽光発電システムを使用した際の冬季期間における日の出及び日の入の太陽光を横方向から見た作用説明図、
【図９】同太陽光発電システムを使用した際の冬季期間における日の出及び日の入の太陽光を上方向から見た作用説明図、
【図１０】同太陽光発電システムを使用した際の時刻に対する発電量の関係を示すデータグラフ、
【図１１】同太陽光発電システムを使用した際の気温に対するシステム効率の関係を示すデータグラフ、
【符号の説明】
【００４０】
１：太陽光発電システム，２…：反射部材（第一反射部材），２ｒ…：反射面，２ｓ：反射シート，３…：ソーラパネル，３ｕ：ソーラパネルの後端辺，１１…：第二反射部材，１１ｄ…：第二反射部材の下端，１１ｕ…：第二反射部材の上端，１１ｓ：反射シート，Ｌ…：太陽光，Ｌｒ：反射させた太陽光，Ｃ：設置面，Ｆｆ：前後方向，Ｆｒ：旋回方向，Ｆｓ：直角方向，Ｓｈ：水平面，Ｓｖ：鉛直面，Ｒｈ：所定角度，Ｒｓ：所定角度，Ｒａ…：所定角度，Ｗ：壁面，Ｐ：窓，Ｂ：ブラインド
【図１】
2010103334.tif 000003
【図２】
2010103334.tif 000004
【図３】
2010103334.tif 000005
【図４】
2010103334.tif 000006
【図５】
2010103334.tif 000007
【図６】
2010103334.tif 000008
【図７】
2010103334.tif 000009
【図８】
2010103334.tif 000010
【図９】
2010103334.tif 000011
【図１０】
2010103334.tif 000012
【図１１】
2010103334.tif 000013